(57)【特許請求の範囲】
【請求項１】
洋風便器の後部上面のベースプレート上に設置されたカバーボックスの内部に脱臭装置を設置した脱臭装置の設置構造であって、
該ベースプレートと洋風便器後部上面との間の隙間へ該脱臭装置からの排気を排出するように該ベースプレートに排気口を設けた脱臭装置の設置構造において、
前記洋風便器の後部上面は、後部側が高段部であり、前部側が低段部であり、
前記ベースプレートは、前部側が該低段部に着座し後部側が該高段部に着座し、該前部側と後部側の間の中間部が洋風便器後部上面から浮いており、この中間部に前記排気口が設けられていることを特徴とする脱臭装置の設置構造。
【発明の詳細な説明】
【０００１】
【発明の属する技術分野】
本発明は、洋風便器の後部上面にカバーボックスを設置した場合に採用される脱臭装置の設置構造。
【０００２】
【従来の技術】
洋風便器の後部上面にカバーボックスを設置し、このカバーボックス内にロータンクや温水洗浄装置などと共に脱臭装置を設置したタイプの洋風便器設備が普及しつつある。
【０００３】
第５、６図はこの種の洋風便器設備の構成を示す斜視図及び透視斜視図、第７図はカバーボックスの分解斜視図である。図示の通り、洋風便器１０の後部上面のベースプレート１２上に温水タンク１４、ロータンク１６、温風乾燥装置１８、脱臭ファン２０等の機器が設置され、これらの機器を覆うようにタンクカバー２２がベースプレート１２上に設置されている。このタンクカバー２２は、カバー本体部２４とカバーフタ２６とからなり、該カバーフタ２６には手洗鉢部２８及び手洗吐水口３４が設けられている。カバー本体部２４の前面に便座３０及び便蓋３２が起倒方向回動可能に取り付けられている。
【０００４】
なお、前記脱臭ファン２０の排気は脱臭カートリッジ３６を通って脱臭処理された後、タンクカバー２２の下部側面の排気口３８を通ってトイレルーム内へ放出される。
【０００５】
ロータンク１６の前面に、各装置を制御する制御回路を搭載した回路基板４０が設置されている。
【０００６】
ロータンク１６内の水は、ハンドル４２又はモータ４４で開弁操作されるフロート弁装置（図示略）を介して洋風便器１０へ供給される。
【０００７】
ロータンク１６内には、ボールタップ４６から流出する清水を貯留するためのサービスタンク４８が設置されており、このサービスタンク４８内の清水が前記温水タンク１４へ供給される。この温水タンク１４内の温水は、ポンプ５０、メインバルブ５２及び切替バルブ５４を介して第１洗浄ノズル６０又は第２洗浄ノズル６２へ供給される。
【０００８】
前記ベースプレート１２は第７図の通りボルト６４によって洋風便器１０に固定される。このボルト６４はベースプレート１２に設けられたボルト孔６６と洋風便器１０に設けられたボルト孔（図示略）とに挿通される。なお、ベースプレート１２の端辺部に開口７２を設け、温風ファン７０を該開口７２に臨ませる。この開口７２を設けたベースプレート１２の端辺部は洋風便器１０の外縁から側方に張り出しており、温風ファン７０からの温風は洋風便器１０の後部側面に沿って吹き出る。
【０００９】
【発明が解決しようとする課題】
上記従来の脱臭装置の設置構造にあっては、カバーボックス２２の側面に設けられた排気口３８が丸見えになり、見栄えが悪い。また、この排気口３８内に異物が突っ込まれるなどの悪戯を受けるおそれもある。
【００１０】
本発明は、このような問題点を解決するために、カバーボックス側面から排気口を無くした脱臭装置の設置構造を提供することを目的とする。
【００１１】
【課題を解決するための手段】
本発明の脱臭装置の設置構造は、洋風便器の後部上面のベースプレート上に設置されたカバーボックスの内部に脱臭装置を設置した脱臭装置の設置構造であって、該ベースプレートと洋風便器後部上面との間の隙間へ該脱臭装置からの排気を排出するように該ベースプレートに排気口を設けた脱臭装置の設置構造において、前記洋風便器の後部上面は、後部側が高段部であり、前部側が低段部であり、前記ベースプレートは、前部側が該低段部に着座し後部側が該高段部に着座し、該前部側と後部側の間の中間部が洋風便器後部上面から浮いており、この中間部に前記排気口が設けられていることを特徴とするものである。
【００１３】
かかる脱臭装置の設置構造にあっては、脱臭排気はベースプレートと洋風便器後部上面との間の隙間から洋風便器側方に排出される。本発明では、脱臭排気口がカバーボックスの側面に無く、見栄えが良く、悪戯を受けることもない。
【００１４】
【発明の実施の形態】
以下図面を参照して本発明の実施の形態について説明する。第１図〜第４図は本発明の実施の形態に係る脱臭装置の設置構造を備えた洋風便器設備を示すものであり、第１図は洋風便器及びベースプレートの斜視図、第２図は縦断面図、第３図は第２図のIII −III 線に沿う断面図、第４図は斜視図である。
【００１５】
この実施の形態で用いられているベースプレート１２Ａは、洋風便器１０の後部上面の後部側の高段部１０Ｈに着座する高段部１２Ｈと、洋風便器後部上面の前部側の低段部１０Ｌに着座する低段部１２Ｌと、該高段部１２Ｈと低段部１２Ｌとの間の中段部１２Ｍとを有しており、この中段部１２Ｍは洋風便器１０の後部上面から若干（例えば５〜１０ｍｍ程度）浮いている。この中段部１２Ｍに排気口８０が設けられている。
【００１６】
洋風便器１０の便鉢内の臭気を該排気口８０へ排出するための脱臭装置８２は、該便鉢と排気口８０とを連通するトンネルの如く設けられた脱臭ハウジング８４と、該脱臭ハウジング８４の前部側に設けられた脱臭カートリッジ８６と、脱臭ハウジング８４の後部側に設けられたファンモータユニット８８とを備えている。この脱臭カートリッジ８６は、枠状のカートリッジケース内に活性炭等の吸着剤や消臭剤を充填したものである。なお、カバー本体部２４の前縁下部は、この脱臭カートリッジ８６を交換しうるようにするために、ヒンジピン９０によって回動可能に支持された可動カバー部９２となっている。
【００１７】
第１〜４図のその他の符号は前記第５〜７図と同一部分を示している。
【００１８】
このように構成された脱臭装置の設置構造を有する洋風便器において、便鉢内の臭気は脱臭装置８２によって排気口８０を経てベースプレート１２Ａの中段部１２Ｍと洋風便器後部上面との間に排出され、次いで該中段部１２Ｍと洋風便器後部上面との間を通り第３図の如く洋風便器１０の側方へ排出される。
【００１９】
この実施の形態にあっては、従来のタンクカバー２２に設けられていた側面の排気口３８が存在せず、タンクカバー２２の見栄えが良好であると共に、排気口３８に異物が突っ込まれるなどの悪戯を受けることもない。
【００２０】
なお、この実施の形態では、ベースプレートの中段部１２Ｍと洋風便器後部上面との間に隙間を形成すると共に、この中段部１２Ｍに排気口８０を設けているが、このベースプレート１２Ａは成形が容易であり、排気口８０は上下抜き金型によって簡単に形成することができる。
【００２１】
【発明の効果】
以上の通り、本発明によると、カバーボックスの側面に排気口が存在せず、カバーボックスの見栄えが良好であると共に、排気口に異物が突っ込まれる等の悪戯を受けることもなくなる。
【図面の簡単な説明】
【図１】本発明の実施の形態を示す分解斜視図である。
【図２】本発明の実施の形態を示す縦断面図である。
【図３】図２のIII −III 線に沿う断面図である。
【図４】実施の形態に係る脱臭装置の設置構造を有した洋風便器の斜視図である。
【図５】従来例に係る洋風便器を示す斜視図である。
【図６】従来例に係る洋風便器を示す透視斜視図である。
【図７】図５、６の洋風便器のカバーボックスとベースプレートとを示す分解斜視図である。
【符号の説明】
１０  洋風便器
１２，１２Ａ  ベースプレート
１２Ｈ  高段部
１２Ｌ  低段部
１２Ｍ  中段部
２０  脱臭ファン
２２  タンクカバー
３８，８０  排気口
８２  脱臭装置
８４  脱臭ハウジング
８６  脱臭カートリッジ
８８  ファンモータユニット
【図１】
0003731305.tif 000002
【図２】
0003731305.tif 000003
【図３】
0003731305.tif 000004
【図４】
0003731305.tif 000005
【図５】
0003731305.tif 000006
【図６】
0003731305.tif 000007
【図７】
0003731305.tif 000008